(57)【要約】【課題】  専門的な音響知識が無くても、好ましい音響状態に調整できるようにする。【解決手段】  複数の音信号発生機器Ｋを各別に接続自在な複数の入力部１１と、入力部１１から入力された音信号を各別に調整自在な音調整手段１２と、音調整手段１２で調整された音信号をスピーカ８に出力自在な出力部１３とが設けられ、入力部に接続される音信号発生機器それぞれに対する音調整手段１２の調整用データＤ１を、各音信号発生機器Ｋ毎に記録自在な機器用データベースＢ１が設けられ、入力部１１毎に接続する音信号発生機器Ｋを選択して音調整手段１２の任意のチャンネルに割当操作自在な第一割当手段が設けられ、第一割当手段によって各チャンネルに割り当てられた音信号発生機器Ｋそれぞれに対応する調整用データＤ１を、機器用データベースＢ１から読み取って音調整手段１２の各チャンネルの音調整に反映させる第一制御手段が設けられている。【選択図】        図２
2006005743.tif 000002
【特許請求の範囲】
【請求項１】
複数の音信号発生機器を各別に接続自在な複数の入力部と、前記入力部から入力された音信号を各別に調整自在な音調整手段と、前記音調整手段で調整された音信号をスピーカに出力自在な出力部とを備えた音響調整設備であって、
前記入力部に接続される前記音信号発生機器それぞれに対する前記音調整手段の調整用データを、前記各音信号発生機器毎に記録自在な機器用データベースが設けられ、前記入力部毎に接続する音信号発生機器を選択して前記音調整手段の任意のチャンネルに割当操作自在な第一割当手段が設けられ、第一割当手段によって各チャンネルに割り当てられた音信号発生機器それぞれに対応する前記調整用データを、前記機器用データベースから読み取って前記音調整手段の各チャンネルの音調整に反映させる第一制御手段が設けられている音響調整設備。
【請求項２】
複数のマイクを各別に接続自在な複数の入力部と、前記入力部から入力されたマイクの音信号を各別に調整自在な音調整手段と、前記音調整手段で調整された音信号をスピーカに出力自在な出力部とを備えた音響調整設備であって、
前記マイクを使用する対象者それぞれに対する前記音調整手段の調整用データを、前記対象者毎に記録自在な対象者データベースが設けられ、前記入力部に接続するマイク毎にそのマイクを使用する対象者を選択して前記音調整手段の任意のチャンネルに割当操作自在な第二割当手段が設けられ、第二割当手段によって各チャンネルに割り当てられた対象者それぞれに対応する前記調整用データを、対象者データベースから読み取って前記音調整手段の各チャンネルの音調整に反映させる第二制御手段が設けられている音響調整設備。
【請求項３】
前記各入力部に接続する音信号発生機器、又は、マイクを使用する対象者の指定操作を、操作画面上でのアイコン操作で実施可能に構成された対象指定操作手段が設けられている請求項１又は２に記載の音響調整設備。
【請求項４】
前記音調整手段の各チャンネルに対応した音量調整操作を、操作画面上でのアイコン操作で実施可能に構成された音量調整操作手段が設けられている請求項１〜３の何れか一項に記載の音響調整設備。
【発明の詳細な説明】
【技術分野】
【０００１】
本発明は、例えば、学校や会館等のホールで、催しに応じてマイクやＣＤ等の音信号発生機器の音をそれぞれ調整しながら拡声するのに使用可能な音響調整設備に関し、更に詳しくは、複数の音信号発生機器を各別に接続自在な複数の入力部と、前記入力部から入力された音信号を各別に調整自在な音調整手段と、前記音調整手段で調整された音信号をスピーカに出力自在な出力部とを備えた音響調整設備に関する。
【背景技術】
【０００２】
従来、この種の音響調整設備を使用して音調整を実施するに当たっては、実施されるイベントに先立って、使用する音信号発生機器を選択し、その種類や数、ステージ上での配置、それぞれのインプットチャンネル等を決定した上で仕込み図としてそれらの内容を書き込んだものを作成し、その仕込み図に基づいて、各音信号発生機器の準備や接続を行うのが一般的である。そして、実際の各音信号発生機器の音調整に当たっては、前記音調整手段に相当するミキシングコンソール（ハード、ソフト何れの場合もある）によって、例えば、各音信号発生機器に適した入力ゲインの調整、低〜高音域毎のイコライザー調整、使用エフェクタの選択や、それらエフェクタへのセンドパラメータやリターンパラメータの調整、ボリューム調整等を行うことができる。
しかしながら、この様な各調整作業には、専門的な音響知識が必要な上、調整時間も掛かる。従って、音響知識の低い人がオペレーターを務めるような場合には、最小限度のボリューム調整のみを行っていることが少なくなく、音響調整設備が備えた機能をフルに発揮できていない場合が多い。
そこで、このような音信号発生機器の接続や、各チャンネル毎での音調整を、操作画面上でマウス等を操作して、比較的簡単に実施できるようにしたものが考えられつつある。
その一例としては、ユーザによる簡易なＧＵＩ（グラフィカル・ユーザ・インターフェース）操作の入力を基に、入力系統図（マイクからミキサまでの系統図）を作成できるようにしたもの（例えば、特許文献１参照）や、一度セッティングした各チャンネル毎のミキサー設定値を、そのままシーンメモリーに記憶できるようにして、それ以後に、同じセッティングでイベントを行う時に、記憶したシーンメモリーを読み出すことでミキサー設定を再現すると言ったものがあった（特許文献２参照）。
【０００３】
【特許文献１】特開２００３−１６１３８号公報（段落番号〔０１０３〕）
【特許文献２】特開平１１−３５５０７４号公報
【発明の開示】
【発明が解決しようとする課題】
【０００４】
上述した従来の音響調整設備の前者のものによれば、ＧＵＩを使用することで、画像上で入力系統を認識できるから、操作性は向上するものの、肝心の音調整手段の細かな調整に関しては、やはり、各チャンネル毎に、それぞれのパラメータを適切な値にオペレータによって調整する必要があり、やはり、音響知識がなければ実施できない問題点がある。
また、上述した従来の音響調整設備の後者のものによれば、調整したミキシングコンソールの各パラメータは、全体としてそのまま記憶できるものの、読み出して再現する際には、記憶時と同じ接続状態にしか適用できない。従って、入力系統や使用する音信号発生機器に変更があれば、読み出した各パラメータは実情と合わなくなるから、まったく役に立たなくなる危険性があり、この問題に対処するには、やはり、オペレータに専門的な音響知識が必要となり、誰でもが簡単には調整できない問題点がある。
【０００５】
従って、本発明の目的は、上記問題点を解消し、専門的な音響知識が無くても、好ましい音響状態となるように調整でき得る音響調整設備を提供するところにある。
【課題を解決するための手段】
【０００６】
本発明の第１の特徴構成は、複数の音信号発生機器（以後、単に発生機器という）を各別に接続自在な複数の入力部と、前記入力部から入力された音信号を各別に調整自在な音調整手段と、前記音調整手段で調整された音信号をスピーカに出力自在な出力部とを備えた音響調整設備において、前記入力部に接続される前記発生機器それぞれに対する前記音調整手段の調整用データを、前記各発生機器毎に記録自在な機器用データベースが設けられ、前記入力部毎に接続する発生機器を選択して前記音調整手段の任意のチャンネルに割当操作自在な第一割当手段が設けられ、第一割当手段によって各チャンネルに割り当てられた発生機器それぞれに対応する前記調整用データを、前記機器用データベースから読み取って前記音調整手段の各チャンネルの音調整に反映させる第一制御手段が設けられているところにある。
【０００７】
本発明の第１の特徴構成によれば、マイクやＣＤやＭＤと言った発生機器毎に異なる音調整上のパラメータを、細かく意識しなくても、ただ、入力部に接続する発生機器を選択するだけで、機器用データベースに記録された該当する発生機器の調整用データを読み取って、そのパラメータを音調整手段の該当チャンネルに自動的に反映させることができ、専門的な音響知識が無くても、簡単に好ましい音響状態に調整することが可能となる。
更に詳しく説明すると、前記発生機器には、上述のように、マイクやＣＤやＭＤや、ダイレクトボックスからのライン入力となる電気楽器等、さまざまなものがあり、それぞれによって、入力レベルや、音の特性が異なっている。
従って、それら各発生機器の入力音を、ホール内等の空間でミキシングして違和感なく流すためには、入力レベルに関して言えば、大きいものは音割れして歪み易いから小さくし、小さいものは大きく調整することでバランスさせることが好ましい。また、音特性の一つである音質に関して言えば、高音域が強く出る機器の場合は高音域を抑える調整をしたり、低音域が強く出る機器の場合は低音域を抑える調整をしたりすることで、全体的に聞き易い状態の出力音にすることが可能である。
前記機器用データベースには、このような音調整手段の各調整用データを、各発生機器それぞれに対応させて記録しておくことができる。そして、第一割当手段によって、音調整手段の各入力部毎に接続する発生機器を選択して、音調整手段の該当するチャンネルに割り当てることができ、更には、各チャンネルに割り当てられた発生機器それぞれに対応する前記調整用データを、前記第一制御手段によって、機器用データベースから読み取って音調整手段の各チャンネルの音調整に反映させることができる。
その結果、オペレータは、音調整手段に接続する前記発生機器を、入力部毎に選択するだけの簡単な操作を行うだけで、その発生機器に相応しい状態に音調整手段が調整される。従って、音響調整作業そのものを、極めて簡単化することができながら、音響調整作業の品質は、専門の音響知識のあるオペレータが行うのと同じ状態に確保することが可能となる。また、実際に音響調整作業を行うオペレータが専門的な音響知識を備えている場合には、音響調整作業をより効率的に実施できるようになることは勿論である。何れにしても、ハイクォリティーな音響調整を、簡単に迅速に実施することができる。
更には、音響調整の対象となる催しにおいて、接続する前記発生機器の変更があったにしても、前記第一割当手段による発生機器の選択で該当する発生機器を選択し直せば、それに対応した調整が第一制御手段によって実施されるから、対応が迅速になり、例えば、先の〔背景技術〕で説明したような、シーンメモリーに音調整手段の全チャンネルの設定パラメータのみを記録しておき、それを読み込んで再現するような従来技術に比べて、即応性が向上する。
【０００８】
本発明の第２の特徴構成は、複数のマイクを各別に接続自在な複数の入力部と、前記入力部から入力されたマイクの音信号を各別に調整自在な音調整手段と、前記音調整手段で調整された音信号をスピーカに出力自在な出力部とを備えた音響調整設備において、前記マイクを使用する対象者それぞれに対する前記音調整手段の調整用データを、前記対象者毎に記録自在な対象者データベースが設けられ、前記入力部に接続するマイク毎にそのマイクを使用する対象者を選択して前記音調整手段の任意のチャンネルに割当操作自在な第二割当手段が設けられ、第二割当手段によって各チャンネルに割り当てられた対象者それぞれに対応する前記調整用データを、対象者データベースから読み取って前記音調整手段の各チャンネルの音調整に反映させる第二制御手段が設けられているところにある。
【０００９】
本発明の第２の特徴構成によれば、前記対象者毎に異なるマイク音調整上のパラメータを、細かく意識しなくても、ただ、入力部に接続するマイク毎にそのマイクを使用する対象者を選択するだけで、対象者データベースに記録された該当する対象者の前記調整用データを読み取って、そのパラメータを音調整手段の該当チャンネルに自動的に反映させることができ、専門的な音響知識が無くても、簡単に好ましい音響状態に調整することが可能となる。
更に詳しく説明すると、前記対象者には、声の大きい人や小さい人、声の高さが高い人や低い人等、さまざまな人が居ることが考えられ、それぞれによって、入力レベルや、音質が異なっている。
従って、それら各対象の声を、ホール内等の空間でミキシングして違和感なく流すためには、入力レベルに関して言えば、大きい声は音割れして歪み易いから小さく調整し、小さいものは大きく調整することでバランスさせることが好ましい。また、音質に関して言えば、高音域が強い声は高音域を抑える調整をしたり、低音域が強い声の場合は低音域を抑える調整をしたりすることで、全体的に聞き易い状態に補正することが可能である。
前記対象者データベースには、このような音調整手段の各調整用データを、各対象者それぞれに対応させて記録しておくことができる。そして、第二割当手段によって、音調整手段の入力部に接続するマイク毎にそのマイクを使用する対象者を選択して、音調整手段の該当するチャンネルに割り当てることができ、更には、各チャンネルに割り当てられた対象者それぞれに対応する前記調整用データを、前記第二制御手段によって、対象者データベースから読み取って音調整手段の各チャンネルの音調整に反映させることができる。
その結果、オペレータは、音調整手段に接続するマイク毎に使用対象者を選択するだけの簡単な操作を行うだけで、その対象者に相応しい状態に音調整手段が調整される。従って、音響調整作業そのものを、極めて簡単化することができながら、音響調整作業の品質は、専門の音響知識のあるオペレータが行うのと同じ状態に確保することが可能となる。また、実際に音響調整作業を行うオペレータが専門的な音響知識を備えている場合には、音響調整作業をより効率的に実施できるようになることは勿論である。何れにしても、ハイクォリティーで使用対象者の声質にあった音響調整を、簡単に迅速に実施することができる。
更には、音響調整の対象となる催しにおいて、マイクを使用する対象者の変更があったにしても、前記第二割当手段による対象者の選択で該当する対象者を選択し直せば、それに対応した調整が第二制御手段によって実施されるから、対応が迅速になり、例えば、先の〔背景技術〕で説明したような、シーンメモリーに音調整手段の全チャンネルの設定パラメータのみを記録しておき、それを読み込んで再現するような従来技術に比べて、即応性が向上する。
【００１０】
本発明の第３の特徴構成は、前記各入力部に接続する発生機器、又は、マイクを使用する対象者の指定操作を、操作画面上でのアイコン操作で実施可能に構成された対象指定操作手段が設けられているところにある。
【００１１】
本発明の第３の特徴構成によれば、本発明の第１又は２の特徴構成による上述の作用効果を叶えることができるのに加えて、対象指定操作手段によって操作画面上でのアイコン操作で各入力部に接続する発生機器、又は、マイクを使用する対象者の指定操作を行うことができ、画面で見たままの直感的な操作によって上述の指定操作が可能となる。従って、取扱性がより向上すると共に、誤操作が生じ難い。
【００１２】
本発明の第４の特徴構成は、前記音調整手段の各チャンネルに対応した音量調整操作を、操作画面上でのアイコン操作で実施可能に構成された音量調整操作手段が設けられているところにある。
【００１３】
本発明の第４の特徴構成によれば、本発明の第１〜３の何れかの特徴構成による上述の作用効果を叶えることができるのに加えて、音量調整操作手段によって、各チャンネルに対応した音量調整を操作画面上でのアイコン操作で行うことができ、画面で見たままの直感的な操作によって上述の調整操作が可能となる。従って、取扱性がより向上すると共に、誤操作が生じ難い。
【発明を実施するための最良の形態】
【００１４】
以下に本発明の実施の形態を図面に基づいて説明する。
【００１５】
図１は、本発明の音響調整設備の一実施形態品（以後、単に調整設備と言う）Ｓを設置したホールＨを示す模式図である。
ホールＨは、ステージ１、客席２、ロビー３、音響調整室４等を備えて構成されている。そして、前記調整設備Ｓは、音響調整室４に設置されている。
【００１６】
前記ステージ１においては、各種催しが演じられ、それぞれの催しに伴って、マイクＫ１や、電気楽器等の入力ケーブルを接続するダイレクトボックスＫ２等が、所定の位置に随時配置される。そして、ステージ１には、前記マイクＫやダイレクトボックスＫ２等の音信号発生機器（以後、単に発生機器と言う）Ｋをそれぞれ接続する複数の接続用端子５が設けられており、これら接続用端子５は、ステージ１と音響調整室４とにわたって配線されたケーブル６を介して、音響調整室４のパッチベイ７と各別に接続されている。
【００１７】
また、ステージ１の脇や、客席２、ロビー３、音響調整室４には、音響調整室４で調整された音を再生するスピーカ８がそれぞれ設けられている。
【００１８】
前記音響調整室４には、図２に示すように、パッチベイ７の他、デジタルミキサーモジュール９、コンピュータ１０等が設置されている。また、図には示さないが、デジタルミキサーモジュール９と各スピーカ８との間には、パワーアンプが設置されている。
そして、前記調整設備Ｓは、前記デジタルミキサーモジュール９とコンピュータ１０とを備えて構成されており、この両者は、相互にデータを送受信自在に接続（例えば、ＵＳＢ接続）されており、コンピュータ１０側から、デジタルミキサーモジュール９の各制御を実施出来るように構成されている。
【００１９】
前記デジタルミキサーモジュール９は、前記パッチベイ７の各チャンネルに対応するように接続される複数の入力部１１と、それら各入力部１１から入力された音信号をそれぞれに対応するチャンネルで各別に調整することができる音調整部（音調整手段に相当）１２と、音調整部１２で調整された音をパワーアンプを介して前記スピーカ８に出力自在な出力部１３と、前記入力部１１と音調整部１２と出力部１３とを総合的に制御するデジタル制御部１４とを備えて構成してある。尚、音響調整室４で操作する発生機器Ｋとしては、例えば、ＣＤプレーヤや、ＭＤプレーヤや、カセットプレーヤ等の再生機器Ｋ３、及び、ステージ１への連絡用マイクＫ１があり、これらは、それぞれ前記入力部１１に接続することができる。
因みに、音調整部１２には、それぞれのチャンネル毎に、入力レベルを調整自在なトリム部や、入力音の音質を複数バンド毎に各別に調整自在な音質調整部や、エフェクタへのセンド量を調整自在なセンド調整部や、音量を調整自在な音量調整部や、チャンネルのオン・オフ切替自在な切替部等が備えられ、これらの操作は、前記コンピュータ１０の操作画面上から前記デジタル制御部１４を介してそれぞれ実施できるように構成されている。
前記コンピュータ１０とデジタル制御部１４とにおいて、特に、前記音量調整部の音量調整をコンピュータ１０の操作画面上でのアイコン操作で実施可能に構成されたソフトウェア部分を音量調整操作手段２０と言う（図３参照）。
【００２０】
また、前記入力部１１に接続される前記発生機器Ｋそれぞれに対する音調整部１２の調整用データ（パラメータ）Ｄ１を、前記各発生機器Ｋ毎に記録自在な機器用データベースＢ１と、前記発生機器Ｋの内の一つであるマイクＫ１を使用する対象者Ｍそれぞれに対する前記音調整部１２の調整用データ（パラメータ）Ｄ２を、前記対象者Ｈ毎に記録自在な対象者データベースＢ２とが、前記コンピュータ１０に設けられている。これらのデータベースＢ１、Ｂ２には、コンピュータ１０から、前記調整用データＤ１、Ｄ２を入力することができ、例えば、ホールＨの音響特性や、前記各発生機器Ｋの特性を考慮した上で、好ましい調整用データＤ１を各発生機器Ｋ毎に決定して前記機器用データベースＢ１に発生機器Ｋと対応させて保存しておいたり、ホールＨの音響特性や、各対象者Ｍの声の特性を考慮した上で、好ましい調整用データＤ２を各対象者Ｍ毎に決定して前記対象者データベースＢ２に対象者Ｍと対応させて保存しておくことができる。当該実施形態においては、予め、専門的な音響知識のある者によって、当該ホールＨで音響上好ましいとされる調整用データＤ１、Ｄ２を決定して、前記データベースＢ１、Ｂ２を形成してある。
因みに、前記調整用データＤ１の一例を示すと、前記トリム部や音質調整部のパラメータで構成してあり、例えば、発生機器Ｋがマイクの場合、入力レベルが他の発生機器Ｋ（ＣＤ・ＭＤプレーヤ等）に比べて小さいから前記トリム部での入力レベルを大きくすると共に、音質調整部に対しては、当該ホールでのハウリングを生じ易い周波数域の音成分を下げると言った内容がパラメータとして設定される。
一方、前記調整用データＤ２の一例を示すと、前記音質調整部や音量調整部のパラメータで構成してあり、例えば、対象者Ｍが、声が低くて大きな男性である場合、音質調整部において低音域を少し下げると共に、前記音量調整部のレベルを少し下げると言った内容がパラメータとして設定される。
また、対象者Ｍの名前としては、当該整設備が、例えば、学校で使用されるような場合を例に挙げれば、「校長先生」や「教頭先生」や「山田○○先生」と言ったように具体的で解り易いものをデータとして打ち込んでおくことが好ましい。
【００２１】
次に、コンピュータ１０について説明する。
コンピュータ１０には、図３に示すように、データセクション１０Ａ、ソフトセクション１０Ｂ、前記デジタルミキサーモジュール９を対象としてデータの送受信を行うインターフェース１０Ｃ、データセクション１０Ａやソフトセクション１０Ｂやインターフェース１０Ｃの制御を行う制御部１０Ｄとを備えて構成してある。
そして、データセクション１０Ａには、上述の、両データベースＢ１、Ｂ２が備えてある。
前記ソフトセクション１０Ｂには、各種ソフトウェアが設けられており、前記入力部１１毎に接続する前記発生機器Ｋを選択して前記音調整部１２の任意のチャンネルに割当操作自在な第一割当手段１５、及び、前記入力部１１に接続する発生機器ＫがマイクＫ１である場合に、そのマイクＫ１を使用する対象者Ｍを選択して前記音調整部１２の該当チャンネルに割当操作自在な第二割当手段１６等のソフトウェアや、前記第一割当手段１５によって各チャンネルに割り当てられた発生機器Ｋそれぞれに対応する前記調整用データＤ１を、前記機器用データベースＢ１から読み取って前記音調整部１２の該当チャンネルの音調整に反映させる第一制御手段１７、及び、第二割当手段１６によって該当チャンネルに割り当てられた対象者Ｍそれぞれに対応する前記調整用データＤ２を、対象者データベースＢ２から読み取って前記音調整部１２の該当チャンネルの音調整に反映させる第二制御手段１８等のソフトウェアが設けられている。
更には、前記音量調整操作手段２０が設けられていると共に、発生機器Ｋの指定操作や、第二割当手段１６による前記対象者Ｍの指定操作を、操作画面上でのアイコン操作で実施できるように構成されたソフトウェアとして対象指定操作手段２１が設けられている。
【００２２】
従って、コンピュータ１０の操作画面上のアイコン操作によって、各入力部１１に接続する発生機器Ｋを指定するだけで、それらの発生機器Ｋ用の調整用データＤ１が機器用データベースＢ１からそれぞれデジタルミキサーモジュール９に読み込まれ、各チャンネルの音調整部１２が自動的に前記調整用データＤ１のパラメータにセットされるから、オペレータに専門的な音響知識が無くても、予め設定された発生機器Ｋ用のセッティングを再現することができる。
また、発生機器ＫとしてマイクＫ１が指定されている場合は、そのマイクＫ１を使用する対象者Ｍを、操作画面上のアイコン操作によって指定するだけで、それらの対象者Ｍ用の調整用データＤ２が対象者データベースＢ２からそれぞれデジタルミキサーモジュール９に読み込まれ、各チャンネルの音調整部１２が自動的に前記調整用データＤ２のパラメータにセットされるから、オペレータに専門的な音響知識が無くても、予め設定された対象者Ｍ用のセッティングを、先のセッティングに追加して再現することができ、音響設備の仕込み作業の効率化と、音響設備を最良の状態で使いこなすこととが可能となる。
そして、催しが実施されている間に関しては、前記音量調整操作手段２０によって、操作画面上に表示されたボリュームアイコンを状況に応じて上下させるだけで、より肌理の細かな音響調整を実施することができる（図４参照）。また、その際、ボリュームアイコンには、前記第二割当手段１６で指定した対象者名（例えば、「校長先生」や「教頭先生」や「山田○○先生」等）が合わせて表示されるように前記音量調整操作手段２０を構成してあれば、オペレータの誤操作を防止し易く、より使い易い音響調整設備とすることが可能となる。
【００２３】
前記前記音量調整操作手段２０や対象指定操作手段２１による操作画面の一例を示すと、図４に示すとおりである。
この例によると、ステージ１の平面模式図ｆ１や、発生機器Ｋのリストｆ２や、各チャンネルのボリュームフェーダｆ３等が表示され、そのステージ１上の任意の位置に、マウス操作で発生機器Ｋを配置して、チャンネルにアサインすることができる。そして、ボリュームフェーダｆ３を上下操作することで、チャンネルの音量調整をすることができる。
また、発生機器Ｋのプロパティーで、マイクＫ１に関しては、プルダウンメニューによって対象者Ｍを選択することも出来るように構成されている。
そして、図には示さないが、他にも、ＧＵＩとしての各種エディット画面が用意されており、コンピュータの表示画面上から、前記デジタルミキサーモジュール９の操作や、データの保存や読み込み等を実施できるように構成されている。
【００２４】
本実施形態の調整設備Ｓによれば、以上のように、簡単な入力操作によって音調整部を該当ホールの状況によく合致した状態に自動的にセッティングすることができ、音響に係わる仕込み作業の効率化、及び、ミキシング作業全般の簡単化を叶えることが可能となる。また、従来の音響調整設備にも備えられている機能と同様に、そのセッティング状況をシーンメモリーとして記録保存して、再度、利用することもできる。
【００２５】
〔別実施形態〕
以下に他の実施の形態を説明する。
【００２６】
〈１〉  音響調整設備Ｓは、先の実施形態で説明したコンピュータ１０とデジタルミキサーモジュール９とで構成されたものに限るものではなく、例えば、デジタルミキサーモジュールを内装したコンピュータで構成したり、調整卓として形成されたデジタルミキサーと、そのデジタルミキサーと連動自在に接続されたコンピュータで構成するものであってもよい。更には、調整卓そのものに、デジタルミキサー部とコンピュータ部とを一体的に備えた構成であってもよい。
それらを総称して音響調整設備と言う。
〈２〉  前記機器用データベースＢ１に記録される音調整手段の調整用データＤ１は、先の実施形態で説明した前記トリム部や音質調整部のパラメータに限るものではなく、例えば、前記センド調整部や、前記音量調整部や、前記切替部等のパラメータであってもよい。
また、対象者データベースＢ２に記録される音調整手段の調整用データＤ２は、先の実施形態で説明した前記音質調整部や音量調整部のパラメータに限るものではなく、例えば、前記トリム部や、前記センド調整部や、前記切替部等のパラメータであってもよい。
【００２７】
尚、上述のように、図面との対照を便利にするために符号を記したが、該記入により本発明は添付図面の構成に限定されるものではない。
【図面の簡単な説明】
【００２８】
【図１】ホールを示す平面図
【図２】音響調整設備を示す概念図。
【図３】音響調整設備の要部を示すブロック図
【図４】操作画面を示す説明図
【符号の説明】
【００２９】
８      スピーカ
１１    入力部
１２    音調整部（音調整手段に相当）
１３    出力部
１５    第一割当手段
１６    第二割当手段
１７    第一制御手段
１８    第二制御手段
２０    音量調整操作手段
２１    対象指定操作手段
Ｄ１    調整用データ
Ｄ２    調整用データ
Ｂ１    機器用データベース
Ｂ２    対象者データベース
Ｋ      音信号発生機器（文中では単に発生機器と表現）
Ｋ１    マイク
Ｍ      対象者
【図１】
2006005743.tif 000003
【図２】
2006005743.tif 000004
【図３】
2006005743.tif 000005
【図４】
2006005743.tif 000006